(57)【特許請求の範囲】
【請求項１】
ランダムアクセス可能な記録媒体にアクセスして、データの読み書きを行うデータアクセス部と、
前記データアクセス部により、記録画像を前記記録媒体に書き込む記録手段と、
前記データアクセス部により、前記記録媒体から画像ファイルの読み出しを行い、再生画像を出力する再生手段と、
前記記録画像の記録開始時点で前記記録媒体に記録済みの画像ファイルの中から、前記再生手段が読み出す再生画像を選択する選択手段と、
前記記録画像の前記記録手段による前記記録媒体への書き込みと、前記選択手段により選択された再生画像の前記再生手段による前記記録媒体からの読み出しとを、前記データアクセス部の時分割切り換えにより実行する制御部と、
前記再生画像から表示用の画像出力を生成する表示画像生成部と
を備えたことを特徴とする画像記録再生装置。
【請求項２】
請求項１に記載の画像記録再生装置において
前記データアクセス部は、前記記録媒体に対して移動可能な録再ヘッドを備える
ことを特徴とする画像記録再生装置。
【請求項３】
請求項１または請求項２に記載の画像記録再生装置において、
前記記録媒体に記録する前に、前記記録画像を一時的に格納するメモリを有し、
前記制御部は、前記メモリに格納された前記記録画像の容量に基づいて、前記記録媒体に対する記録動作と読み出し動作との時分割切り換えを行う
ことを特徴とする画像記録再生装置。
【請求項４】
請求項１ないし請求項３のいずれか１項に記載の画像記録再生装置において、
前記表示画像生成部は、外部操作に応じて、前記記録画像と前記再生画像とを画面内で切り換えて表示するための画像出力を生成する
ことを特徴とする画像記録再生装置。
【請求項５】
請求項１ないし請求項３のいずれか１項に記載の画像記録再生装置において、
前記表示画像生成部は、外部操作に応じて、前記記録画像と前記再生画像とを画面内に合成して表示するための画像出力を生成する
ことを特徴とする画像記録再生装置。
【請求項６】
請求項１ないし請求項５のいずれか１項に記載の画像記録再生装置において、
前記記録手段は、
前記再生画像を識別するための識別情報を、前記記録画像と併せて前記記録媒体に書き込む
ことを特徴とする画像記録再生装置。
【請求項７】
請求項６に記載の画像記録再生装置において、
前記再生手段は、
前記記録媒体から第１の再生画像を読み出すに際して、「第１の再生画像に併せて記録された識別情報」が示す第２の再生画像を並行して読み出し、
前記表示画像生成部は、
前記再生手段から読み出される２つの再生画像に基づいて表示用の画像出力を生成する
ことを特徴とする画像記録再生装置。
【請求項８】
請求項７に記載の画像記録再生装置において、
前記再生手段は、
前記データアクセス部により前記記録媒体に対し時分割にアクセスして、前記２つの再生画像を並行して読み出す
ことを特徴とする画像記録再生装置。
【請求項９】
請求項７に記載の画像記録再生装置において、
前記再生手段は、
前記データアクセス部により前記記録媒体に対し２箇所に同時にアクセスして、前記２つの再生画像を並行して読み出す
ことを特徴とする画像記録再生装置。
【請求項１０】
請求項４または請求項５に記載の画像記録再生装置において、
前記表示画像生成部は、
再生画像と記録画像の表示形式を異ならしめた前記画像出力を生成する
ことを特徴とする画像記録再生装置。
【請求項１１】
ランダムアクセス可能な記録媒体に記録画像を記録するための圧縮処理、および前記記録媒体から読み出された画像ファイルから再生画像を得るための伸長処理を行うデータ圧縮伸長部と、
前記記録画像の記録開始時点で前記記録媒体に記録済みの画像ファイルの中から、再生する画像ファイルを選択する選択手段と、
前記データ圧縮伸長部による前記記録画像の圧縮処理と、前記選択手段により選択された画像ファイルの伸長処理とを時分割切り換えにより実行する制御部と、
前記伸長処理により得られた再生画像から表示用の画像出力を生成する表示画像生成部と
を備えたことを特徴とする画像記録再生装置。
【発明の詳細な説明】
【０００１】
【発明の属する技術分野】
本発明は、画像の記録および再生を行う装置に関する。
【０００２】
【従来の技術】
従来、電子カメラ（ビデオカメラ，電子スチルカメラなど）の一種として、カメラ筐体などにモニタ用の画面を備えたものが知られている。
この種の電子カメラでは、撮像中の画像をモニタ画面上で確認することができる。そのため、カメラ本体を撮像者から適宜に離すことができ、自由なアングルで撮像を行うことができる。
【０００３】
また、モニタ画面に記録済みの画像を即座に再生することにより、その場で記録内容の確認を行うことができる。
さらに、この種の電子カメラでは、撮影レンズの向きを回転することにより、モニタ画面に撮像者自身の姿を写すことができる。この状態で、操作者自身の写り具合をモニタ画面で確認しながら、自分自身を撮像することができる（以下、操作者自身を撮影する撮影技法を「対面撮影」という）。
【０００４】
例えば、披露宴や謝恩会などのパーティ会場において、参加者各自が上記の対面撮影を行うことにより、色紙の寄せ書きに相当する画像を簡単に記録することができる。
【０００５】
【発明が解決しようとする課題】
ところで、上述した電子カメラにおいて、例えば、対面撮影を行う場合、モニタ画面上には、操作者自身の画像がモニタ表示される。そのため、操作者は自分自身のモニタ表示を意識してしまい、自然な表情を撮影することができないという問題点があった。
【０００６】
そのため、対面撮影において記録される画像は、よそ行きの印象が必然的に強くなり、面白みに欠けるという問題点があった。
上述の問題点を解決するためには、被写体の自然な表情を確実に撮影することができる電子カメラを提供することである。そこで、本発明では、このような電子カメラの実現に適する『画像の記録再生技術』を提供することを目的とする。
【０００７】
請求項２，３に記載の発明では、請求項１の目的と併せて、装置構成を単純化することを目的とする。
【０００８】
請求項４，５に記載の発明では、請求項１の目的と併せて、再生画像および記録画像を画面上で好適に表示することを目的とする。
【０００９】
請求項６に記載の発明では、請求項１の目的と併せて、再生画像と記録画像との関連を記録することを目的とする。
請求項７に記載の発明では、請求項６の目的と併せて、並行動作により関連付けられた２つの画像を対比して鑑賞することを目的とする。
【００１０】
請求項８に記載の発明では、請求項７の目的と併せて、装置構成を単純化することを目的とする。
請求項９に記載の発明では、請求項７の目的と併せて、２つの画像を円滑に再生することを目的とする。
【００１１】
請求項１０に記載の発明では、請求項１の目的と併せて、画面を一瞥するだけで、再生画像と記録画像とを明確に判別することを目的とする。
【００１２】
【課題を解決するための手段】
【００１３】
請求項１に記載の発明は、ランダムアクセス可能な記録媒体にアクセスして、データの読み書きを行うデータアクセス部と、データアクセス部により記録画像を記録媒体に書き込む記録手段と、データアクセス部により記録媒体から画像ファイルの読み出しを行って再生画像を出力する再生手段と、記録画像の記録開始時点で記録媒体に記録済みの画像ファイルの中から、再生手段が読み出す再生画像を選択する選択手段と、記録画像の記録手段による記録媒体への書き込みと、選択手段により選択された再生画像の再生手段による記録媒体からの読み出しとを、データアクセス部の時分割切り換えにより実行する制御部と、再生画像から表示用の画像出力を生成する表示画像生成部とを備えたことを特徴とする。
【００１４】
請求項２に記載の発明は、請求項１に記載の画像記録再生装置において、データアクセス部は、記録媒体に対して移動可能な録再ヘッドを備えることを特徴とする。
請求項３に記載の発明は、請求項１または請求項２に記載の画像記録再生装置において、記録媒体に記録する前に記録画像を一時的に格納するメモリを有し、制御部は、メモリに格納された記録画像の容量に基づいて、記録媒体に対する記録動作と読み出し動作との時分割切り換えを行うことを特徴とする。
【００１６】
請求項４に記載の発明は、請求項１ないし請求項３のいずれか１項に記載の画像記録再生装置において、表示画像生成部は、外部操作に応じて、記録画像と再生画像とを画面内で切り換えて表示するための画像出力を生成する
ことを特徴とする。
請求項５に記載の発明は、請求項１ないし請求項３のいずれか１項に記載の画像記録再生装置において、表示画像生成部は、外部操作に応じて記録画像と再生画像とを画面内に合成して表示するための画像出力を生成することを特徴とする。
なお、記録画像と再生画像とを画面内の左右に配し、かつ両方の画像ファイルが対向しているように遠近効果を付与して表示してもよい。また、再生画像を記録画像よりも拡大して表示してもよい。
【００１７】
請求項６に記載の発明は、請求項１ないし請求項５のいずれか１項に記載の画像記録再生装置において、記録手段は、再生画像を識別するための識別情報を、記録画像と併せて記録媒体に書き込むことを特徴とする。
【００１８】
請求項７に記載の発明は、請求項６に記載の画像記録再生装置において、再生手段は、記録媒体から第１の再生画像を読み出すに際して、「第１の再生画像に併せて記録された識別情報」が示す第２の再生画像を並行して読み出し、表示画像生成部は、再生手段から読み出される２つの再生画像に基づいて表示用の画像出力を生成することを特徴とする。
【００１９】
請求項８に記載の発明は、請求項７に記載の画像記録再生装置において、再生手段は、データアクセス部により記録媒体に対し時分割にアクセスして、２つの再生画像を並行して読み出すことを特徴とする。
請求項９に記載の発明は、請求項７に記載の画像記録再生装置において、再生手段は、データアクセス部により記録媒体の２箇所から同時にアクセスして、２つの再生画像を並行して読み出すことを特徴とする。
【００２０】
なお、２つの画像を画面内の左右に配し、かつ２つの画像が対向しているように遠近効果を付与して表示してもよい。
また、第２の再生画像を第１の再生画像よりも縮小して表示してもよい。
【００２１】
請求項１０に記載の発明は、請求項４または請求項５に記載の画像記録再生装置において、表示画像生成部は、再生画像と記録画像の表示形式を異ならしめた画像出力を生成することを特徴とする。
請求項１１に記載の発明は、ランダムアクセス可能な記録媒体に記録画像を記録するための圧縮処理、および記録媒体から読み出された画像ファイルから再生画像を得るための伸長処理を行うデータ圧縮伸長部と、記録画像の記録開始時点で記録媒体に記録済みの画像ファイルの中から、再生する画像ファイルを選択する選択手段と、データ圧縮伸長部による記録画像の圧縮処理と、選択手段により選択された画像ファイルの伸長処理とを時分割切り換えにより実行する制御部と、伸長処理により得られた再生画像から表示用の画像出力を生成する表示画像生成部とを備えたことを特徴とする。
【００２２】
（作用）
請求項１の発明では、記録手段および再生手段が、記録媒体に対して、記録画像の書き込みと、再生画像の読み出しとを時分割に行う。
特に、記録画像の記録開始時点において、記録済みの画像ファイルの中から画像ファイルを選択して再生することができる。
【００２３】
したがって、この装置を電子カメラに搭載することにより、モニタ画面に再生画像を写しながら、被写体を撮像することができる。
この場合、再生画像を観た者の反応を確実に撮影することができる。
【００２４】
請求項２の発明では、データアクセス部の録再ヘッドが、記録媒体に対して移動することで、記録画像の書き込みと、再生画像の読み出しとを時分割に行う。
請求項３の発明では、制御部が、メモリに格納された記録画像の容量に基づいて、この記録動作と読み出し動作とを時分割に切り換える。
【００２５】
請求項４の発明では、表示画像生成部が、外部操作に応じて、記録画像と再生画像とを画面内で切り換えて表示するための画像出力を生成する。
請求項５の発明では、表示画像生成部が記録画像と再生画像とを画面内に合成して表示するための画像出力を生成する。
【００２６】
請求項６の発明では、記録手段が、再生画像を識別するための識別情報を、記録画像と併せて記録媒体に書き込む。
請求項７の発明では、再生手段が、記録媒体から第１の再生画像を読み出すに際して、「第１の再生画像に併せて記録された識別情報」が示す第２の再生画像を並行して読み出す。
【００２７】
表示画像生成部は、再生手段から読み出される２つの再生画像に基づいて表示用の画像出力を生成する。
したがって、記録時に関連付けられた２つの再生画像が一緒に再生される。
請求項８の発明では、再生手段が、記録媒体に対し時分割にアクセスして、２つの再生画像を並行して読み出す。
【００２８】
請求項９の発明では、記録媒体の２箇所に同時にアクセスして、２つの再生画像を並行して読み出す。
【００２９】
請求項１０の発明では、表示画像生成部によって、再生画像と記録画像の表示形式を異ならしめる。
請求項１１の発明では、記録媒体に記録画像を記録するために実施する圧縮処理と、記録媒体から読み出した圧縮済み再生画像の伸長処理とを時分割切り換えにより実施する。
特に、記録画像の記録開始時点において、記録済みの画像ファイルの中から画像ファイルを選択して再生することができる。
【００３０】
【発明の実施の形態】
以下、図面に基づいて本発明における実施の形態を説明する。
【００３１】
（第１の実施形態）
図１は、第１の実施形態の外観を示す図である。なお、第１の実施形態は、請求項１〜３，４〜８，１０に対応する。
図２は、第１の実施形態の機能ブロック図である。
図１，図２において、本体１１の側面には、カメラ部１１ａが回動自在に取り付けられ、カメラ部１１ａの前面には、撮影レンズ１２が装着される。
【００３２】
撮影レンズ１２の通過光束は、カメラ部１１ａ内で屈曲されて、撮像素子１３の受光面に到達する。撮像素子１３の光電出力は、Ａ／Ｄ変換部１４を介して信号処理部１５に接続される。
信号処理部１５の出力は、複数画面分のフレームメモリ１６，データ圧縮伸長部１７を介してデータアクセス部１８に接続される。このデータアクセス部１８は、録再用のヘッド部を備えて、光磁気記録媒体１９に対しデータの読み書きを行う。
【００３３】
また、フレームメモリ１６のデータ出力は、表示画像作成部２０に入力され、表示画像作成部２０の画像出力は、液晶表示部２１に表示される。
この液晶表示部２１は、本体１１の背面に備え付けられ、その画面全体にタッチパネル２１ａが貼り付けられる。
タッチパネル２１ａの出力は、タッチパネル入力部２２を介して制御部２３に入力され、制御部２３の制御出力は、表示画像作成部２０，データ圧縮伸長部１７およびデータアクセス部１８に入力される。
【００３４】
これらのデータ圧縮伸長部１７，表示画像作成部２０，タッチパネル入力部２２および制御部２３は、本体１１内のマイクロプロセッサ２５の内部機能などにより実現される。
【００３５】
図３〜図７は、第１の実施形態の動作を説明する流れ図である。
図８〜図１０は、第１の実施形態の画面表示を示す図である。
以下、これらの図を用いて、第１の実施形態の動作を説明する。
まず、本体１１に電源が投入されると、液晶表示部２１には、図８（ａ）に示す初期画面が表示される。
【００３６】
この画面の中央には、光磁気記録媒体１９に記録されている画像Ａ〜Ｆの縮小画像（以下「サムネイル」という）３０が一覧表示され、画面の右上には、画像の表示サイズを変更するための標準サイズ釦３１および分割表示釦３２が表示される。
また、画面の右側には、画面を上下にスクロールするためのスクロール釦３３が表示され、画面の右下には、画像の録画再生などを操作するための複数の操作釦が３段に表示される。
【００３７】
これらの操作釦の配列順は、次のようになる。まず、上段左側から、逆スキップ釦３４，逆送り釦３５，早送り釦３６およびスキップ釦３７が並ぶ。また、中段左側から、逆再生釦３８，停止釦３９および再生釦４０が並ぶ。さらに、下段左側から、逆コマ送り釦４１，ポーズ釦４２，コマ送り釦４３および録画釦４４が並ぶ。
【００３８】
上記の操作釦に対する操作は、タッチパネル２１ａの接触により行われる。
例えば、スクロール釦３３が指などで押されると、タッチパネル入力部２２は操作内容を表すメッセージを制御部２３に伝達する。制御部２３は、このメッセージに従って表示画像作成部２０を制御し、サムネイル３０の一覧表示を上下方向にスクロールさせる。図８（ｂ）は、スクロール後の画面表示を示す図である。
【００３９】
以下、図３に従って、本実施形態のメインルーチンの動作を説明する。
（メインルーチン）
タッチパネル入力部２２は、タッチパネル２１ａの接触を感知すると、その接触位置に対応して予め定められたメッセージを、制御部２３に伝達する（図３Ｓ１）。
【００４０】
制御部２３は、サムネイル３０が押されたというメッセージを受け取ると（図３Ｓ２）、図８（ｂ）に示したように、そのサムネイル３０の画面枠をハイライト表示にする（図３Ｓ３）。
また、制御部２３は、録画釦４４が押されたというメッセージを受け取ると（図３Ｓ４）、タッチパネル２１ａの接触位置の移動に追従して、録画釦４４の表示位置を移動（ドラッグ）させる。
【００４１】
この状態で、図９（ａ）に示すように、録画釦４４が再生釦４０の上にドロップされると（図３Ｓ５）、制御部２３は、録画釦４４を元の位置に戻して表示した後に、後述の再生／録画ルーチンを実行する（図３Ｓ６）。
一方、録画釦４４が再生釦４０の範囲外にドロップされると（図３Ｓ５）、制御部２３は、録画釦４４を元の位置に戻して表示した後に、後述の録画ルーチンを実行する（図３Ｓ７）。
【００４２】
また、制御部２３は、再生釦４０が押されたというメッセージを受け取ると（図３Ｓ８）、ハイライト表示されているサムネイル３０に対応する画像ファイルのファイル名を取得する。制御部２３は、この画像ファイルに付随する識別情報を、データアクセス部１８を介して光磁気記録媒体１９から読み出す（図３Ｓ９）。
【００４３】
ここで、識別情報の記録領域に、有意な画像ファイル名が記録されていた場合は（図３Ｓ１０）、制御部２３は、後述の同時再生ルーチンを実行する（図３Ｓ１１）。
一方、識別情報の記録領域に、有意な画像ファイル名が記録されていない場合は（図３Ｓ１０）、制御部２３は、後述の再生ルーチンを実行する（図３Ｓ１２）。
【００４４】
その他、制御部２３は、上記以外のメッセージに対するデフォルト処理を実行した後（図３Ｓ１３）、ステップＳ１に戻る。
以上のようなメインルーチンの動作により、イベント駆動型のユーザインターフェースが実現する。
【００４５】
次に、個々のルーチンについて詳細に説明する。
（録画ルーチン）
図４は、録画ルーチンを示す図である。
この録画ルーチンが開始すると、制御部２３は、データアクセス部１８の録再ヘッドを、光磁気記録媒体１９の新規の記録箇所まで移動（シーク）させる（図４Ｓ２１）。
【００４６】
一方、撮像素子１３では、被写体像が光電変換される。光電変換された記録画像は、信号処理部１５においてγ補正などが施された後、フレームメモリ１６に逐次格納される（図４Ｓ２２）。
表示画像作成部２０は、この記録画像を液晶表示部２１にモニタ表示する（図４Ｓ２３）。
【００４７】
データ圧縮伸長部１７は、フレームメモリ１６内の記録画像に対し、離散コサイン変換やフレーム間予測などを併用した画像圧縮を施す（図４Ｓ２４）。
圧縮された記録画像は、データアクセス部１８の録再ヘッドを介して、光磁気記録媒体１９に順次記録される（図４Ｓ２５）。
この状態で、画面上の停止釦３９が押されたというメッセージが発生すると（図４Ｓ２６）、制御部２３は、適当なファイル名や日付データなどを光磁気記録媒体１９に記録して、録画ルーチンを終了する。
【００４８】
（再生／録画ルーチン）
図５は、再生／録画ルーチンを示す図である。
この再生／録画ルーチンを開始すると、制御部２３は、データアクセス部１８の録再ヘッドを、光磁気記録媒体１９の新規の記録箇所まで移動（シーク）させる（図５Ｓ３１）。
【００４９】
再生画像（ハイライト表示されたサムネイル３０に対応する画像ファイル）のファイル名を示す識別情報を、上記の記録箇所の属性データ領域に記録する（図５Ｓ３２）。
一方、撮像素子１３では、被写体像が逐次に光電変換される。光電変換された記録画像は、信号処理部１５においてγ補正などが施された後、フレームメモリ１６に逐次格納される（図５Ｓ３３）。
【００５０】
データ圧縮伸長部１７は、フレームメモリ１６内の記録画像に対し、離散コサイン変換やフレーム間予測などを併用した画像圧縮を施す（図５Ｓ３４）。
ここで、制御部２３は、データアクセス部１８の録再ヘッドを、光磁気記録媒体１９の記録箇所まで移動（シーク）させる（図５Ｓ３５）。
データアクセス部１８は、圧縮された記録画像は、録再ヘッドを介して上記の記録箇所に順次記録する（図５Ｓ３６）。
【００５１】
このとき、制御部２３は、再生画像の現在の再生状態（早送り，ポーズなど）を示す識別情報を生成し、データアクセス部１８の録再ヘッドを介して、この識別情報を上記の記録箇所に記録する（図５Ｓ３７）。
上記の記録動作に伴って、フレームメモリ１６内に未処理分として残る「未記録分のフレーム数」は減少する。制御部２３は、この未記録分のフレーム数が所定値Ｓを下回ると、上記の記録動作を中断して、以下に述べる再生動作に移行する（図５Ｓ３８）。
【００５２】
まず、制御部２３は、データアクセス部１８の録再ヘッドを、光磁気記録媒体１９の再生箇所まで移動（シーク）させる（図５Ｓ３９）。
データアクセス部１８では、圧縮された再生画像が読み出される（図５Ｓ４０）。
データ圧縮伸長部１７は、この再生画像に伸長処理を施して、フレームメモリ１６に順次格納する（図５Ｓ４１）。
【００５３】
上記の再生動作中に、撮像素子１３からフレームメモリ１６内に格納される「未記録分のフレーム数」は刻々と増加する。制御部２３は、この未記録分のフレーム数が所定値Ｅを上回ると、上記の再生動作を中断し、録画動作に移行する（図５Ｓ４２）。
一方、表示画像作成部２０は、フレームメモリ１６内の再生画像および記録画像を、次のように表示する（図５Ｓ４３）。
【００５４】
まず、図９（ａ）に示すように、標準サイズ釦３１が押されたというメッセージが表示画像作成部２０に伝達されると、表示画像作成部２０は、再生画像を最大サイズでモニタ表示する。なお、この初期状態では、記録画像は表示されない。
この初期状態から、標準サイズ釦３１がトグルで押されると、表示画像作成部２０は、記録画像と再生画像とを画面上で順次切り換える（図５Ｓ４４，Ｓ４５）。
【００５５】
一方、図９（ｂ）に示すように、分割表示釦３２が押されたというメッセージが表示画像作成部２０に伝達されると、表示画像作成部２０は、再生画像と記録画像とをモニタ画面の左右にマッピングして合成表示する（図５Ｓ４６）。なお、この場合、表示画像作成部２０は、再生画像を、カメラ寄りの位置に、かつ記録画像よりも大きく表示する。また、再生画像と記録画像とが対向しているような遠近効果を付与するために、表示画像作成部２０は、画面枠を台形に変形して表示する。さらに、再生画像の画面枠は白色とし、録画画像の画面枠は赤色とする。
【００５６】
このような動作中に停止釦３９が押されたというメッセージが発生すると（図５Ｓ４７）、制御部２３は、適当なファイル名や日付データなどを光磁気記録媒体１９に記録して、再生／録画ルーチンを終了する。
（再生ルーチン）
図６は、再生ルーチンを示す図である。
【００５７】
この再生ルーチンが開始すると、制御部２３は、データアクセス部１８の録再ヘッドを、光磁気記録媒体１９の再生箇所まで移動（シーク）させる（図６Ｓ５１）。
データアクセス部１８では、圧縮された再生画像が読み出される（図６Ｓ５２）。
データ圧縮伸長部１７は、この再生画像に伸長処理を施して、フレームメモリ１６に順次格納する（図６Ｓ５３）。
【００５８】
表示画像作成部２０は、フレームメモリ１６内の再生画像をモニタ表示する（図６Ｓ５４）。
このような再生動作中に、録画釦４４が押されたというメッセージが発生すると（図６Ｓ５５）、制御部２３は、上述の再生／録画ルーチンを実行する（図６Ｓ５６）。
【００５９】
また、このような再生動作中に停止釦３９が押されたというメッセージが発生すると（図６Ｓ５７）、制御部２３は再生ルーチンを終了する。
（同時再生ルーチン）
図７は、同時再生ルーチンを示す図である。
この同時再生ルーチンが開始すると、制御部２３は、ハイライト表示のサムネイル３０に対応する画像ファイル（以下「第１の再生画像」という）の再生箇所まで、データアクセス部１８の録再ヘッドを移動させる（図７Ｓ６０）。
【００６０】
データアクセス部１８では、圧縮された第１の再生画像が読み出される（図７Ｓ６１）。
データ圧縮伸長部１７は、この第１の再生画像に伸長処理を施して、フレームメモリ１６に順次格納する（図７Ｓ６２）。
制御部２３は、この第１の再生画像に対する再生動作を、第１の再生画像の未表示フレーム数が所定値Ｍを超えるまで繰り返す（図７Ｓ６３）。
【００６１】
ここで、第１の再生画像の未表示フレーム数が所定値Ｍ以上になると、制御部２３は、第１の再生画像に対する再生動作を中断する。
この状態で、制御部２３は、識別情報のファイル名が示す画像ファイル（以下「第２の再生画像」という）の再生箇所まで、録再ヘッドを移動させる（図７Ｓ６４）。
【００６２】
データアクセス部１８では、圧縮された第２の再生画像が読み出される（図７Ｓ６５）。
データ圧縮伸長部１７は、この第２の再生画像に伸長処理を施して、フレームメモリ１６に順次格納する（図７Ｓ６６）。
制御部２３は、この第２の再生画像に対する再生動作を、第２の再生画像の未表示フレーム数が所定値Ｍを超えるまで繰り返す（図７Ｓ６７）。
【００６３】
ここで、第２の再生画像の未表示フレーム数が所定値Ｍ以上になると、制御部２３は、第２の再生画像に対する再生動作を中断し、第１の再生画像に対する再生動作に移行する。
一方、表示画像作成部２０は、フレームメモリ１６内の再生画像および記録画像を、図１０に示すように表示する。すなわち、表示画像作成部２０は、第１の再生画像と第２の再生画像とをモニタ画面の左右にマッピングして合成表示する（図７Ｓ６８）。なお、この場合、表示画像作成部２０は、第１の再生画像を、第２の再生画像よりも大きく表示する。また、第１の再生画像と第２の再生画像とが対向しているような遠近効果を付与するために、表示画像作成部２０は、画面枠を台形に変形して表示する。
【００６４】
以上説明した動作により、第１の実施形態では、再生画像をモニタ表示しながら、被写体の撮像を行うことができる。
したがって、被写体が再生画像を観る際の素直な反応を、確実に撮影することができる。  また、光磁気記録媒体１９に対して時分割に読み書きを行っているので、データアクセス部１８を一つ備えればよく、装置構成を単純化することができる。
【００６５】
さらに、標準サイズ釦３１のトグル操作に応じて、記録画像と再生画像とをモニタ画面上で随時切り換えることができる。
したがって、記録画像のみをモニタ画面に表示することにより、従来の電子カメラにおける対面撮影と全く同じ撮影を実施することができる。
一方、再生画像のみをモニタ画面に表示することにより、操作者に対面撮影を意識させることなく、再生画像に対する「操作者の素直な反応」を撮影することが可能となる。
【００６６】
また、カメラ部１１ａ寄りの位置に再生画像を表示するので、再生画像を観る者をほぼ正面からカメラ撮影することが可能となる。
さらに、液晶表示部２１において、記録画像と再生画像とが対向しているような遠近効果が付与される。
したがって、対面撮影においては、液晶表示部２１において、操作者が再生画像を直接眺めているかのような表示がなされるので、対面撮影の臨場感を一層高く演出することができる。
【００６７】
また、再生画像が記録画像よりも拡大表示されるので、記録画像を強く意識させずに、被写体の自然な表情を一層確実に撮影することができる。
さらに、光磁気記録媒体１９から第１の再生画像を読み出すに際して、第２の再生画像を自動的に同時再生することができる。
また、同時に再生される２つの画像を画面内の左右に配し、かつ２つの画像が対向しているように遠近効果を付与して表示する。特に、対面撮影においては、操作者が再生画像を眺めていた状況を、液晶表示部２１に忠実に再現表示することができる。
【００６８】
さらに、第２の再生画像を第１の再生画像よりも縮小して表示するので、液晶表示部２１の小さな再生画像を操作者が眺めていた録画時の状況を、液晶表示部２１に忠実に再現することができる。
また、再生画像と記録画像の表示枠の色が異なるので、操作者は、液晶表示部２１を一瞥するだけで、どちらの画像かを瞬時に判別することができる。
【００６９】
さらに、このような電子カメラの活用例としては、披露宴や謝恩会その他のパーティ会場において、参加者各自が、主賓の再生画像を観ながら対面撮影を行う。このような対面撮影により、主賓に対する素直なメッセージを確実かつ簡単に撮影することができる。
次に、別の実施形態について説明する。
【００７０】
（第２の実施形態）
図１１は、第２の実施形態（請求項１，３〜７，９〜１１に対応）の機能ブロック図である。
第２の実施形態における構成上の特徴点は、フレームメモリ１６ａ，１６ｂと、圧縮伸長部１７ａ，１７ｂと、データアクセス部１８ａ，１８ｂとをそれぞれ２系統備えている点である。
【００７１】
なお、図２に示した構成と同じものについては、同一の参照番号を付与して図１１に示し、ここでの構成の説明を省略する。
第２の実施形態における動作上の特徴点は、データアクセス部１８ａ，１８ｂの２つの録再ヘッドを用いて、光磁気記録媒体１９に同時にアクセスし、再生／録画動作および同時再生動作を行う点である。
【００７２】
したがって、第２の実施形態では、上述した第１の実施形態とほぼ同じ効果を得ることができる。
特に、第２の実施形態に特有な効果としては、光磁気記録媒体１９に対して一度に読み書きできる情報量が多くなるので、再生／録画動作時や同時再生時に生じるコマ落ちを軽減できる点である。
【００７３】
なお、上述した実施形態では、再生画像と記録画像とに遠近効果を付与して表示しているが、その表示形態に限定されるものではない。例えば、図１２（ａ）に示すように２つの画像を併置してもよいし、図１２（ｂ）に示すように２つの画像を入れ子にして表示してもよい。
【００７４】
また、上述した実施形態では、記録媒体として光磁気記録媒体１９を採用しているが、本発明は、この構成に限定されるものではなく、一般的には、画像を記録可能な記録媒体であれば、磁気記録媒体，光記録媒体など何でもよい。特に、メモリカードなどは、ランダムアクセス機能に優れているので、本発明に使用する記録媒体として好適である。
【００７５】
さらに、上述した実施形態では、再生画像と記録画像とにおいて、画面枠の表示色を異ならしめているが、それに限定されるものではない。例えば、再生画像と記録画像とにおいて、両者の平均輝度レベルを異ならしめたり、片方を点滅させたり、両者の点滅サイクルを異ならしめたりしてもよい。
なお、第１の実施形態では、未処理のフレーム数の変化に応じて、時分割処理を制御しているが、本発明はそれに限定されるものではない。例えば、時間経過に従って時分割処理を制御してもよい。
【００７６】
【発明の効果】
以上説明したように、請求項１の装置を電子カメラに備えた場合、再生画像をモニタ表示しながら、被写体の撮像を行うことができる。
したがって、この電子カメラでは、被写体が再生画像を観た際の素直な反応を、確実に撮影することができる。
【００７７】
特に、対面撮影を行う場合には、操作者は再生画像に注目することになるので、対面撮影を強く意識させずに、操作者の自然な表情を確実に撮影することができる。
また、対面撮影以外の使用に際しても、記録画像と再生画像とを関連付けて撮影記録をすることができる。
【００７８】
請求項２，３に記載の発明では、記録媒体に対して時分割に読み書きを行うので、記録媒体に対するアクセス機構を最低限一つ備えればよい。したがって、装置構成を単純化することができる。
【００７９】
請求項４に記載の発明では、外部操作に応じて、記録画像と再生画像とを切り換えて表示する。
したがって、本発明の記録再生技術を適用した電子カメラでは、記録画像のみをモニタ画面に表示することにより、従来の電子カメラにおける対面撮影と全く同じ撮影を実施することができる。
一方、再生画像のみをモニタ画面に表示することにより、操作者に対面撮影を全く意識させることなく、再生画像に対する「操作者の素直な反応」を撮影することが可能となる。
【００８０】
請求項５に記載の発明では、表示画像生成部が、記録画像と再生画像とを画面内に合成表示するための画像出力を生成する。
したがって、本発明の記録再生技術を適用した電子カメラでは、記録画像に基づいてカメラアングルなどを調節しつつ、「再生画像を観る者」の素直な反応を確実に撮影することができる。
なお、モニタ画面上において、記録画像と再生画像とに対向しているような遠近効果が付与してもよい。
【００８１】
この場合、対面撮影においては、モニタ画面において、操作者が再生画像を直接眺めているかのような表示がなされるので、対面撮影の臨場感を一層高く演出することができる。
さらに、再生画像を記録画像よりも拡大して表示してもよい。
【００８２】
この場合、対面撮影においては、操作者がモニタ画面上の自分自身（記録画像）を強く意識することがなく、操作者の自然な表情を一層確実に撮影することができる。
請求項６に記載の発明では、記録手段が、再生画像を識別するための識別情報を、記録画像と併せて記録媒体に書き込む。
【００８３】
したがって、後から記録画像の識別情報を読み出すことにより、記録画像の記録時に再生されていた画像を確実に特定することができる。
請求項７に記載の発明では、再生手段が、記録媒体から第１の再生画像を読み出すに際して、「第１の再生画像に併せて記録された識別情報」が示す第２の再生画像を並行して読み出す。
【００８４】
したがって、記録時に関連付けられた２つの再生画像を自動的に同時再生することができる。
請求項８に記載の発明では、記録媒体に対し時分割に読み出しを行うので、記録媒体に対するアクセス機構を最低限一つ備えればよい。したがって、装置構成を単純化することができる。
【００８５】
請求項９に記載の発明では、記録媒体に対し２箇所からアクセスを行うので、記録媒体から一度に読み出す情報量を多くすることができる。したがって、同時に再生される２つの再生画像を円滑に再生することができる。
なお、同時に再生される２つの画像を画面内の左右に配し、かつ２つの画像が対向しているように遠近効果を付与して表示してもよい。
【００８６】
この場合、対面撮影においては、操作者が再生画像を眺めていた状況を、忠実に再現することができる。
また、第２の再生画像を第１の再生画像よりも縮小して表示してもよい。
小さなモニタ画面の再生画像を操作者が眺めていた対面撮影時の状況を、忠実に再現することができる。
【００８７】
請求項１０に記載の発明では、再生画像と記録画像の表示形式を異ならしめる。したがって、この表示形式を一瞥することにより、操作者は再生画像と記録画像とを的確に判別することができる。
請求項１１に記載の発明では、記録画像の圧縮処理と、再生画像の伸長処理とを時分割切り換えにより実施する。
以上説明したように、本発明を適用した電子カメラでは、従来以上に多様な撮影を行うことができ、被写体の自然な表情を確実かつ面白く撮影することができる。
【図面の簡単な説明】
【図１】第１の実施形態の外観を示す図である。
【図２】第１の実施形態の機能ブロック図である。
【図３】第１の実施形態のメインルーチンを説明する流れ図である。
【図４】録画ルーチンを示す図である。
【図５】再生／録画ルーチンを示す図である。
【図６】再生ルーチンを示す図である。
【図７】同時再生ルーチンを示す図である。
【図８】画面表示を説明する図である。
【図９】再生／録画時の画面表示を示す図である。
【図１０】同時再生時の画面表示を示す図である。
【図１１】第２の実施形態の機能ブロック図である。
【図１２】別の画面表示例を示す図である。
【符号の説明】
１１  本体
１１ａ  カメラ部
１２  撮影レンズ
１３  撮像素子
１４  Ａ／Ｄ変換部
１５  信号処理部
１６  フレームメモリ
１６ａ，１６ｂ  フレームメモリ
１７  データ圧縮伸長部
１７ａ，１７ｂ  圧縮伸長部
１８  データアクセス部
１８ａ，１８ｂ  データアクセス部
１９  光磁気記録媒体
２０  表示画像作成部
２１  液晶表示部
２１ａ  タッチパネル
２２  タッチパネル入力部
２３  制御部
２５  マイクロプロセッサ
３０  サムネイル
３１  標準サイズ釦
３２  分割表示釦
３３  スクロール釦
３５  逆送り釦
３６  早送り釦
３７  スキップ釦
３８  逆再生釦
３９  停止釦
４０  再生釦
４１  逆コマ送り釦
４２  ポーズ釦
４３  コマ送り釦
４４  録画釦
【図１】
0003600864.tif 000002
【図２】
0003600864.tif 000003
【図３】
0003600864.tif 000004
【図４】
0003600864.tif 000005
【図５】
0003600864.tif 000006
【図６】
0003600864.tif 000007
【図７】
0003600864.tif 000008
【図８】
0003600864.tif 000009
【図９】
0003600864.tif 000010
【図１０】
0003600864.tif 000011
【図１１】
0003600864.tif 000012
【図１２】
0003600864.tif 000013